【手続補正書】
【提出日】平成16年2月12日(2004.2.12)
【手続補正１】
【補正対象書類名】明細書
【補正対象項目名】発明の名称
【補正方法】変更
【補正の内容】
【発明の名称】撮像装置及びその防水ケース


【手続補正２】
【補正対象書類名】明細書
【補正対象項目名】特許請求の範囲
【補正方法】変更
【補正の内容】
【特許請求の範囲】
【請求項１】
防水ケースに収納しこの防水ケースと通信可能な撮像装置において、
前記防水ケースは前記撮像装置本体のカメラ信号処理に関わる設定操作が可能な選択スイッチと、
この選択スイッチの操作を検出する検出手段とを備え、
前記検出手段から出力された指示信号を受信し設定操作を行う制御手段を備えたことを特徴とする撮像装置。
【請求項２】
前記検出手段の出力信号に応じて前記防水ケースの収納状態を判別し、前記撮像装置に関わる所定の動作を禁止する禁止手段を備えたことを特徴とする請求項１に記載の撮像装置。
【請求項３】
前記禁止手段は、近接合焦またはリモコン受信を禁止させることを特徴とする請求項２に記載の撮像装置。
【請求項４】
前記選択スイッチは、ホワイトバランス、露出、シャッタスピード、オートゲインコントロールの少なくとも１つに関わる設定操作が可能であることを特徴とする請求項１に記載の撮像装置。
【請求項５】
前記撮像装置は、デジタルカメラであることを特徴とする請求項１乃至４のいずれか１つに記載の撮像装置。
【請求項６】
撮像装置を収納しこの撮像装置と通信可能な防水ケースにおいて、
前記防水ケースは前記撮像装置本体のカメラ信号処理に関わる設定操作が可能な選択スイッチと、
この選択スイッチの操作を検出する検出手段とを備え、
前記検出手段から出力される指示信号を前記撮像装置に伝送することを特徴とする防水ケース。
【手続補正３】
【補正対象書類名】明細書
【補正対象項目名】０００１
【補正方法】変更
【補正の内容】
【０００１】
【発明の属する技術分野】
本発明は、撮像装置及びその防水ケースに関し、特に、防水ケースに収納した状態において外部から撮影操作が可能な撮像装置及びその防水ケースに関するものである。


【手続補正４】
【補正対象書類名】明細書
【補正対象項目名】０００６
【補正方法】変更
【補正の内容】
【０００６】
本発明は上述の問題点に鑑み、防水ケースに収納したまま撮影を行う際に、撮影者の指示により撮像装置本体のカメラ信号処理に関わる選択設定を実行することが可能な撮像装置及びその防水ケースを提供することを目的としている。


【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
【課題を解決するための手段】
本出願に係る発明の目的を実現する構成は、請求項１に記載のように、防水ケースに収納しこの防水ケースと通信可能な撮像装置において、前記防水ケースは前記撮像装置本体のカメラ信号処理に関わる設定操作が可能な選択スイッチと、この選択スイッチの操作を検出する検出手段とを備え、前記検出手段から出力された指示信号を受信し設定操作を行う制御手段を備えたことを特徴とする撮像装置にある。


【手続補正７】
【補正対象書類名】明細書
【補正対象項目名】０００９
【補正方法】変更
【補正の内容】
【０００９】
本出願に係る発明の目的を実現する構成は、請求項２に記載のように、前記検出手段の出力信号に応じて前記防水ケースの収納状態を判別し、前記撮像装置に関わる所定の動作を禁止する禁止手段を備えたことを特徴とする請求項１に記載の撮像装置にある。


【手続補正８】
【補正対象書類名】明細書
【補正対象項目名】００１０
【補正方法】変更
【補正の内容】
【００１０】
本出願に係る発明の目的を実現する構成は、請求項３に記載のように、前記禁止手段は、近接合焦またはリモコン受信を禁止させることを特徴とする請求項２に記載の撮像装置にある。


【手続補正９】
【補正対象書類名】明細書
【補正対象項目名】００１１
【補正方法】変更
【補正の内容】
【００１１】
本出願に係る発明の目的を実現する構成は、請求項４に記載のように、前記選択スイッチは、ホワイトバランス、露出、シャッタスピード、オートゲインコントロールの少なくとも１つに関わる設定操作が可能であることを特徴とする請求項１に記載の撮像装置にある。


【手続補正１０】
【補正対象書類名】明細書
【補正対象項目名】００１２
【補正方法】変更
【補正の内容】
【００１２】
本出願に係る発明の目的を実現する構成は、請求項５に記載のように、前記撮像装置は、デジタルカメラであることを特徴とする請求項１乃至４のいずれか１つに記載の撮像装置にある。


【手続補正１１】
【補正対象書類名】明細書
【補正対象項目名】００１３
【補正方法】変更
【補正の内容】
【００１３】
本出願に係る発明の目的を実現する構成は、請求項６に記載のように、撮像装置を収納しこの撮像装置と通信可能な防水ケースにおいて、前記防水ケースは前記撮像装置本体のカメラ信号処理に関わる設定操作が可能な選択スイッチと、この選択スイッチの操作を検出する検出手段とを備え、前記検出手段から出力される指示信号を前記撮像装置に伝送することを特徴とする防水ケースにある。


【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００８１
【補正方法】変更
【補正の内容】
【００８１】
【発明の効果】
以上説明したように、本発明では、防水ケースに収納したまま撮影を行う際に、防水ケースに設けられた選択スイッチ操作によって、撮影者の指示により撮像装置本体のカメラ信号処理に関わる選択設定を実行することができる。


【手続補正２５】
【補正対象書類名】明細書
【補正対象項目名】００８２
【補正方法】削除
【補正の内容】
【手続補正２６】
【補正対象書類名】明細書
【補正対象項目名】００８３
【補正方法】削除
【補正の内容】
【手続補正２７】
【補正対象書類名】明細書
【補正対象項目名】００８４
【補正方法】削除
【補正の内容】
【手続補正２８】
【補正対象書類名】明細書
【補正対象項目名】００８５
【補正方法】削除
【補正の内容】
【手続補正２９】
【補正対象書類名】明細書
【補正対象項目名】００８６
【補正方法】削除
【補正の内容】
【手続補正３０】
【補正対象書類名】明細書
【補正対象項目名】００８７
【補正方法】削除
【補正の内容】
【手続補正３１】
【補正対象書類名】明細書
【補正対象項目名】００８８
【補正方法】削除
【補正の内容】
【手続補正３２】
【補正対象書類名】明細書
【補正対象項目名】００８９
【補正方法】削除
【補正の内容】